(57)【特許請求の範囲】
【請求項１】
商用電源から常時供給される交流電源を直流に変換してＬＥＤを点灯させる駆動回路を備えたラピッドスタート式の直管蛍光灯型ＬＥＤ照明装置であって、
前記駆動回路が内蔵された管体と、
前記管体の第１端部に取付固定され、２個の接続端子を有する第１口金と、
前記管体の第２端部に取付固定され、２個の接続端子を有する第２口金と、
前記第１口金の前記接続端子および前記第２口金の前記接続端子と、前記駆動回路との間の電源供給経路について、その導通状態と非導通状態とを切り替える切替手段と
を備え、
前記切替手段は、
前記第１口金の前記接続端子間に電位差を検知すると共に、前記第２口金の前記接続端子間に電位差を検知しないときには、前記第１口金の前記接続端子と前記駆動回路との電源供給経路を非導通状態にし、
前記第２口金の前記接続端子間に電位差を検知すると共に、前記第１口金の前記接続端子間に電位差を検知しないときには、前記第２口金の前記接続端子と前記駆動回路との電源供給経路を非導通状態にする、直管蛍光灯型ＬＥＤ照明装置。
【請求項２】
請求項１に記載の直管蛍光灯型ＬＥＤ照明装置において、
前記切替手段は、
前記第１口金の前記接続端子間に電位差を検知すると共に、前記第２口金の前記接続端子間に電位差を検知しないときには、前記第２口金の前記接続端子と前記駆動回路との電源供給経路を導通状態にすると共に、前記第１口金の前記接続端子と前記駆動回路との電源供給経路を非導通状態にし、
前記第２口金の前記接続端子間に電位差を検知すると共に、前記第１口金の前記接続端子間に電位差を検知しないときには、前記第１口金の前記接続端子と前記駆動回路との電源供給経路を導通状態にすると共に、前記第２口金の前記接続端子と前記駆動回路との電源供給経路を非導通状態にする、直管蛍光灯型ＬＥＤ照明装置。
【発明の詳細な説明】
【技術分野】
【０００１】
本発明はラピッドスタート式の直管蛍光灯型ＬＥＤ照明装置に関するものである。
【背景技術】
【０００２】
蛍光灯の点灯方式（点灯回路）は、グロースタータ式、ラピッドスタート式、インバータ式に大別される。
近年、既存の直管蛍光灯から容易に置換可能な直管蛍光灯型ＬＥＤ照明装置（ＬＥＤ直管蛍光灯）として、直管蛍光灯と全長・口金・端子が同一寸法のものが販売されている。
【０００３】
特許文献１には、グロースタータ式に対応した直管蛍光灯型ＬＥＤ照明装置が開示されている。
特許文献２，３には、グロースタータ式、ラピッドスタート式、インバータ式のいずれの点灯方式にも対応した直管蛍光灯型ＬＥＤ照明装置が開示されている。
【先行技術文献】
【特許文献】
【０００４】
【特許文献１】特許第４１３９８５６号公報
【特許文献２】特開２００８−２７７１８８号公報
【特許文献２】特許第３９２９８８５号公報
【発明の概要】
【発明が解決しようとする課題】
【０００５】
ラピッドスタート式の蛍光灯の駆動回路には種々のタイプがあるが、いずれのタイプでも冷陰極（フィラメント）が商用電源から常時通電（常時給電）されている。
そのため、ラピッドスタート式の直管蛍光灯を直管蛍光灯型ＬＥＤ照明装置に置換した場合、直管蛍光灯型ＬＥＤ照明装置を既存の蛍光灯器具に取り付け又は取り外す際に、一方の口金の接続端子（口金ピン）を蛍光灯器具のソケットに差し込んだ状態で、他方の口金の接続端子に作業者の身体が接触すると、直管蛍光灯型ＬＥＤ照明装置の内部回路を介して商用電源から作業者の身体に電流が流れて感電する可能性がある。
【０００６】
そのとき、直管蛍光灯型ＬＥＤ照明装置が２０Ｗで商用電源が２００Ｖとすると、直管蛍光灯型ＬＥＤ照明装置に流れる電流は０．１Ａ、内部回路の抵抗値は２ｋΩとなり、人体の抵抗値が２〜５ｋΩであるため、作業者の身体には３０〜１００ｍＡの電流が流れて危険な状態となる。
【０００７】
本発明は前記問題を解決するためになされたものであって、その目的は、既存の蛍光灯器具に取り付け又は取り外す際に作業者が感電するのを確実に防止可能なラピッドスタート式の直管蛍光灯型ＬＥＤ照明装置を提供することにある。
【課題を解決するための手段】
【０００８】
本発明者は前記課題を解決するために鋭意検討を重ねた結果、下記のように本発明の各局面に想到した。
【０００９】
＜本発明の第１の局面＞
第１の局面は、
商用電源から常時供給される交流電源を直流に変換してＬＥＤを点灯させる駆動回路を備えたラピッドスタート式の直管蛍光灯型ＬＥＤ照明装置であって、
前記駆動回路が内蔵された管体と、
前記管体の第１端部に取付固定され、２個の接続端子を有する第１口金と、
前記管体の第２端部に取付固定され、２個の接続端子を有する第２口金と、
前記第１口金の前記接続端子および前記第２口金の前記接続端子と、前記駆動回路との間の電源供給経路について、その導通状態と非導通状態とを切り替える切替手段とを備え、
前記切替手段は、
前記第１口金の前記接続端子間に電位差を検知すると共に、前記第２口金の前記接続端子間に電位差を検知しないときには、前記第１口金の前記接続端子と前記駆動回路との電源供給経路を非導通状態にし、
前記第２口金の前記接続端子間に電位差を検知すると共に、前記第１口金の前記接続端子間に電位差を検知しないときには、前記第２口金の前記接続端子と前記駆動回路との電源供給経路を非導通状態にする。
【００１０】
第１の局面では、第１口金を既存の蛍光灯器具のソケットに差し込みながら、第２口金を蛍光灯器具のソケットら取り外した状態で、第２口金の接続端子に作業者の身体が接触したとしても、商用電源から作業者の身体に電流が流れることはない。
また、第２口金をソケットに差し込みながら、第１口金をソケットから取り外した状態で、第１口金の接続端子に作業者の身体が接触したとしても、商用電源から作業者の身体に電流が流れることはない。
従って、ラピッドスタート式の直管蛍光灯型ＬＥＤ照明装置を既存の蛍光灯器具のソケットに取り付け又は取り外す際に、作業者が感電するのを確実に防止できる。
【００１１】
＜本発明の第２の局面＞
第２の局面は、第１の局面において、
前記切替手段は、
前記第１口金の前記接続端子間に電位差を検知すると共に、前記第２口金の前記接続端子間に電位差を検知しないときには、前記第２口金の前記接続端子と前記駆動回路との電源供給経路を導通状態にすると共に、前記第１口金の前記接続端子と前記駆動回路との電源供給経路を非導通状態にし、
前記第２口金の前記接続端子間に電位差を検知すると共に、前記第１口金の前記接続端子間に電位差を検知しないときには、前記第１口金の前記接続端子と前記駆動回路との電源供給経路を導通状態にすると共に、前記第２口金の前記接続端子と前記駆動回路との電源供給経路を非導通状態にする。
第２の局面によれば、第１の局面の前記作用・効果を更に確実に得られる。
【図面の簡単な説明】
【００１２】
【図１】本発明を具体化した第１実施形態におけるラピッドスタート式の直管蛍光灯型ＬＥＤ照明装置１００の概略構成を示す回路図。
【図２】本発明を具体化した第２実施形態におけるラピッドスタート式の直管蛍光灯型ＬＥＤ照明装置２００の概略構成を示す回路図。
【図３】本発明を具体化した第３実施形態におけるラピッドスタート式の直管蛍光灯型ＬＥＤ照明装置３００の概略構成を示す回路図。
【図４】本発明を具体化した第４実施形態におけるラピッドスタート式の直管蛍光灯型ＬＥＤ照明装置４００の概略構成を示す回路図。
【図５】本発明を具体化した第５実施形態におけるラピッドスタート式の直管蛍光灯型ＬＥＤ照明装置５００の概略構成を示す回路図。
【図６】本発明を具体化した第６実施形態におけるラピッドスタート式の直管蛍光灯型ＬＥＤ照明装置６００の概略構成を示す回路図。
【発明を実施するための形態】
【００１３】
以下、本発明を具体化した各実施形態について図面を参照しながら説明する。尚、各実施形態において、同一の構成部材については符号を等しくすると共に、同一内容の箇所については重複説明を省略してある。
【００１４】
＜第１実施形態＞
図１に示すように、第１実施形態におけるラピッドスタート式の直管蛍光灯型ＬＥＤ照明装置１００は、管体１０、第１口金（ベースキャップ）１１ａ、第２口金１１ｂ、第１端子対１２ａ、第２端子対１２ｂ、接続端子（電極ピン）１３ａ，１３ｂ，１４ａ，１４ｂ、駆動回路２０、ＬＥＤモジュール（ＬＥＤユニット）２１、ＬＥＤ２１ａ、平滑コンデンサ２２、定電流ダイオード２３、全波整流器２４、交流型リレー３０，３１、スイッチ３０ａ，３１ａなどから構成されている。
【００１５】
直管蛍光灯型ＬＥＤ照明装置１００は、既存の蛍光灯器具のソケット５０ａ，５０ｂに取り付けられ、安定器（ラピッドスタータ回路）４０を介して商用電源Ｐから交流電源が常時供給されている。
【００１６】
直管状の管体１０は透光性を有するガラスまたは合成樹脂から成り、既存の直管蛍光灯と全長が同一寸法であり、既存の直管蛍光灯と外径が略同一寸法である。
口金１１ａ，１１ｂは既存の直管蛍光灯の口金と同一寸法形状であり、第１口金１１ａは管体１０の第１端部（一端部）に取付固定され、第２口金１１ｂは管体１０の第２端部（他端部）に取付固定されている。
【００１７】
端子対１２ａ，１２ｂおよび接続端子１３ａ〜１４ｂは、既存の直管蛍光灯の端子対および接続端子と同一寸法形状である。
第１口金１１ａに設けられた第１端子対１２ａは、２個の接続端子１３ａ，１３ｂから構成されている。
第２口金１１ｂに設けられた第２端子対１２ｂは、２個の接続端子１４ａ，１４ｂから構成されている。
口金１１ａ，１１ｂをそれぞれ既存の蛍光灯器具のソケット５０ａ，５０ｂに差し込むと、ソケット５０ａ，５０ｂ内に設けられている雌側の接続端子（図示略）に対して、雄側の接続端子１３ａ〜１４ｂがそれぞれ接続される。
【００１８】
駆動回路２０は、ＬＥＤモジュール２１、平滑コンデンサ２２、定電流ダイオード２３、全波整流器２４から構成され、管体１０に内蔵されている。
ＬＥＤモジュール２１は、直列接続された複数個のＬＥＤ２１ａから成る直列回路が複数組並列接続されることにより構成されている。
平滑コンデンサ２２は電解コンデンサから成り、ＬＥＤモジュール２１に印加される電圧を平滑化し、ＬＥＤ２１ａのリップル電流成分を少なくする。
定電流ダイオード２３は、ＬＥＤモジュール２１に流れる電流を一定値以下抑え、ＬＥＤ２１ａに過電流が流れるのを防止する。
【００１９】
全波整流器２４は、４個の整流ダイオード（図示略）のブリッジ回路から構成され、ＬＥＤモジュール２１に直流電源を供給する。
すなわち、全波整流器２４のプラス側出力端子は、平滑コンデンサ２２を介して、ＬＥＤモジュール２１のアノード側（マイナス側）および全波整流器２４のマイナス側出力端子に接続されている。
また、全波整流器２４のプラス側出力端子は、順方向接続された定電流ダイオード２３を介してＬＥＤモジュール２１のカソード側（プラス側）に接続されている。
【００２０】
交流型リレー３０の入力側は、第１口金１１ａの接続端子１３ａ，１３ｂ間に接続されている。
交流型リレー３１の入力側は、第２口金１１ｂの接続端子１４ａ，１４ｂ間に接続されている。
交流型リレー３０，３１は電磁石（図示略）を用いた電磁式のヒンジ型リレーであり、交流型リレー３０，３１の入力側は電磁石の巻線（図示略）に接続され、交流型リレー３０，３１の出力側はそれぞれ、ヒンジ型のスイッチ３０ａ，３１ａを備えている。
【００２１】
交流型リレー３０が内蔵するスイッチ３０ａは、全波整流器２４の一方の入力端子と第２口金１１ｂの接続端子１４ａとの間に接続されている。
交流型リレー３１が内蔵するスイッチ３１ａは、全波整流器２４の他方の入力端子と第１口金１１ａの接続端子１３ａとの間に接続されている。
【００２２】
安定器４０は、直列接続されたチョークコイル４１，４２から構成されている。
商用電源Ｐは、チョークコイル４１の一端部とその中途位置との間に接続されている。
第２口金１１ｂの接続端子１４ａはソケット５０ｂを介してチョークコイル４１の一端部に接続され、第２口金１１ｂの接続端子１４ｂはソケット５０ｂを介してチョークコイル４１の中途位置に接続される。
第１口金１１ａの接続端子１３ａはソケット５０ａを介してチョークコイル４２の一端部に接続され、第１口金１１ａの接続端子１３ｂはソケット５０ａを介してチョークコイル４２の中途位置に接続される。
チョークコイル４２における接続端子１３ａ，１３ｂ間に接続された部分が、既存の直管蛍光灯の冷陰極を予熱するための予熱回路を構成している。
【００２３】
［第１実施形態の作用・効果］
第１実施形態におけるラピッドスタート式の直管蛍光灯型ＬＥＤ照明装置１００によれば、以下の作用・効果を得ることができる。
【００２４】
［１］直管蛍光灯型ＬＥＤ照明装置１００を既存の蛍光灯器具のソケット５０ａ，５０ｂに取り付けると、商用電源Ｐから安定器４０を介して供給される交流電流が、第１口金１１ａの接続端子１３ａ，１３ｂと第２口金１１ｂの接続端子１４ａ，１４ｂとの間から駆動回路２０へ供給される。
駆動回路２０では、供給された交流電流を全波整流器２４が全波整流し、その全波整流された電流の電圧を平滑コンデンサ２２が平滑化して直流に変換し、その平滑化された電圧がＬＥＤモジュール２１に印加されてＬＥＤ２１ａが点灯し、定電流ダイオード２３がＬＥＤ２１ａに過電流が流れるのを防止する。
【００２５】
［２］直管蛍光灯型ＬＥＤ照明装置１００は、既存の蛍光灯器具のソケット５０ａ，５０ｂに取り付けた状態では、第１口金１１ａの接続端子１３ａ，１３ｂと第２口金１１ｂの接続端子１４ａ，１４ｂとの間に商用電源Ｐから交流電源が常時供給されている。
【００２６】
［２−１］直管蛍光灯型ＬＥＤ照明装置１００を既存の蛍光灯器具のソケット５０ａ，５０ｂに取り付け又は取り外す際に、第１口金１１ａをソケット５０ａに差し込みながら、第２口金１１ｂをソケット５０ｂから取り外した状態では、第１口金１１ａに設けられた第１口金１１ａの接続端子１３ａ，１３ｂ間に、数Ｖ（例えば、商用電源が２００Ｖの場合には約３〜５Ｖ）の低い電位差が生じるため、交流型リレー３０の入力側に駆動電流が流れ、交流型リレー３０が作動する。
この状態では、交流型リレー３１の入力側には駆動電流が流れず、交流型リレー３１は作動しない。
ここで、第１口金１１ａの接続端子１３ａ，１３ｂ間に生じる電位差は、安定器４０のチョークコイル４２のインピーダンスと、交流型リレー３０を構成する電磁石の巻線のインピーダンスとに基づくものである。
【００２７】
交流型リレー３０，３１はそれぞれ、入力側に駆動電流が流れていない状態では出力側のスイッチ３０ａ，３１ａを開放して非導通状態にし、入力側に駆動電流が流れた状態ではスイッチ３０ａ，３１ａを閉鎖して導通状態にする。
従って、第１口金１１ａをソケット５０ａに差し込みながら、第２口金１１ｂをソケット５０ｂから取り外すと、交流型リレー３０はスイッチ３０ａを閉鎖して導通状態にし、交流型リレー３１はスイッチ３１ａを開放したままで非導通状態にする。
【００２８】
スイッチ３０ａが導通状態で、スイッチ３１ａが非導通状態になると、商用電源Ｐから安定器４０を介し、第１口金１１ａの接続端子１３ａ，１３ｂと全波整流器２４との間に流れる電流が遮断される。
つまり、交流型リレー３０，３１（切替手段）は、第１口金１１ａの接続端子１３ａ，１３ｂ間に電位差を検知すると共に、第２口金１１ｂの接続端子１４ａ，１４ｂ間に電位差を検知しないときには、第２口金１１ｂの接続端子１４ａ，１４ｂと駆動回路２０との電源供給経路をスイッチ３０ａを閉鎖して導通状態にすると共に、第１口金１１ａの接続端子１３ａ，１３ｂと駆動回路２０との電源供給経路をスイッチ３１ａを開放したままで非導通状態にする。
【００２９】
その結果、第１口金１１ａをソケット５０ａに差し込みながら、第２口金１１ｂをソケット５０ｂから取り外した状態で、第２口金１１ｂの接続端子１４ａ，１４ｂに作業者の身体が接触したとしても、商用電源Ｐから作業者の身体に電流が流れることはない。
【００３０】
［２−２］第２口金１１ｂをソケット５０ｂに差し込みながら、第１口金１１ａをソケット５０ａから取り外した状態では、第２口金１１ｂに設けられた第２口金１１ｂの接続端子１４ａ，１４ｂ間に、前記数Ｖの低い電位差が生じるため、交流型リレー３１の入力側に駆動電流が流れ、交流型リレー３１が作動する。
この状態では、交流型リレー３０の入力側には駆動電流が流れず、交流型リレー３０は作動しない。
ここで、第２口金１１ｂの接続端子１４ａ，１４ｂ間に生じる電位差は、安定器４０のチョークコイル４１のインピーダンスと、交流型リレー３１を構成する電磁石の巻線のインピーダンスとに基づくものである。
【００３１】
従って、第２口金１１ｂをソケット５０ｂに差し込みながら、第１口金１１ａをソケット５０ａから取り外すと、交流型リレー３１はスイッチ３１ａを閉鎖して導通状態にし、交流型リレー３０はスイッチ３０ａを開放したままで非導通状態にする。
【００３２】
スイッチ３０ａが非導通状態で、スイッチ３１ａが導通状態になると、商用電源Ｐから安定器４０を介し、第２口金１１ｂの接続端子１４ａ，１４ｂと全波整流器２４との間に流れる電流が遮断される。
つまり、交流型リレー３０，３１（切替手段）は、第２口金１１ｂの接続端子１４ａ，１４ｂ間に電位差を検知すると共に、第１口金１１ａの接続端子１３ａ，１３ｂ間に電位差を検知しないときには、第１口金１１ａの接続端子１３ａ，１３ｂと駆動回路２０との電源供給経路をスイッチ３１ａを閉鎖して導通状態にすると共に、第２口金１１ｂの接続端子１４ａ，１４ｂと駆動回路２０との電源供給経路をスイッチ３０ａを開放したままで非導通状態にする。
【００３３】
その結果、第２口金１１ｂをソケット５０ｂに差し込みながら、第１口金１１ａをソケット５０ａから取り外した状態で、第１口金１１ａの接続端子１３ａ，１３ｂに作業者の身体が接触したとしても、商用電源Ｐから作業者の身体に電流が流れることはない。
【００３４】
このように、第１実施形態によれば、交流型リレー３０，３１を備えることにより、ラピッドスタート式の直管蛍光灯型ＬＥＤ照明装置１００を既存の蛍光灯器具のソケット５０ａ，５０ｂに取り付け又は取り外す際に、作業者が感電するのを確実に防止できる。
【００３５】
［３］ところで、交流型リレー３０，３１によるスイッチ３０ａ，３１ａの切り替え動作を前記［２］と逆にすることが考えられる。
すなわち、交流型リレー３０，３１は、第１口金１１ａの接続端子１３ａ，１３ｂ間に電位差を検知すると共に、第２口金１１ｂの接続端子１４ａ，１４ｂ間に電位差を検知しないときには、第２口金１１ｂの接続端子１４ａ，１４ｂと駆動回路２０との電源供給経路をスイッチ３０ａを開放したままで非導通状態にすると共に、第１口金１１ａの接続端子１３ａ，１３ｂと駆動回路２０との電源供給経路をスイッチ３１ａを閉鎖して導通状態にする。
また、交流型リレー３０，３１は、第２口金１１ｂの接続端子１４ａ，１４ｂ間に電位差を検知すると共に、第１口金１１ａの接続端子１３ａ，１３ｂ間に電位差を検知しないときには、第１口金１１ａの接続端子１３ａ，１３ｂと駆動回路２０との電源供給経路をスイッチ３１ａを開放したままで非導通状態にすると共に、第２口金１１ｂの接続端子１４ａ，１４ｂと駆動回路２０との電源供給経路をスイッチ３０ａを閉鎖して導通状態にする。
【００３６】
しかし、この場合には、第１口金１１ａをソケット５０ａに差し込みながら、第２口金１１ｂをソケット５０ｂから取り外すと、スイッチ３０ａが非導通状態、スイッチ３１ａが導通状態になるため、商用電源Ｐからスイッチ３１ａを介して全波整流器２４から駆動回路２０へ電源供給が行われる。
また、第２口金１１ｂをソケット５０ｂに差し込みながら、第１口金１１ａをソケット５０ａから取り外すと、スイッチ３０ａが導通状態、スイッチ３１ａが非導通状態になるため、商用電源Ｐからスイッチ３０ａを介して全波整流器２４から駆動回路２０へ電源供給が行われる。
その結果、管体１０に設けられている金属製の放熱器（図示略）を通じて、商用電源Ｐから作業者の身体に電流が流れるおそれが生じ、作業者が感電するリスクが高まるという欠点がある。
【００３７】
［４］交流型リレー３０，３１は、電磁石を用いた電磁式のヒンジ型リレーであるため、入力側である電磁石の巻線と、出力側のスイッチ３０ａ，３１ａとは絶縁されている。
そのため、交流型リレー３０，３１を介して、商用電源Ｐから作業者の身体に電流が流れて感電するおそれはない。
【００３８】
＜第２実施形態＞
図２に示すように、第２実施形態におけるラピッドスタート式の直管蛍光灯型ＬＥＤ照明装置２００は、管体１０、第１口金１１ａ、第２口金１１ｂ、第１端子対１２ａ、第２端子対１２ｂ、接続端子１３ａ，１３ｂ，１４ａ，１４ｂ、駆動回路２０、ＬＥＤモジュール２１、ＬＥＤ２１ａ、平滑コンデンサ２２、定電流ダイオード２３、全波整流器２４、直流型リレー６０，６１、スイッチ６０ａ，６１ａ、全波整流器７０，８０などから構成されている。
直管蛍光灯型ＬＥＤ照明装置２００は、既存の蛍光灯器具のソケット５０ａ，５０ｂに取り付けられ、安定器４０を介して商用電源Ｐから交流電源が常時供給されている。
【００３９】
第２実施形態において、図１に示した第１実施形態と異なるのは、直流型リレー６０，６１、スイッチ６０ａ，６１ａ、全波整流器７０，８０を備える点だけである。
直流型リレー６０，６１は電磁石（図示略）を用いた電磁式のヒンジ型リレーであり、直流型リレー６０，６１の入力側は電磁石の巻線（図示略）に接続され、直流型リレー６０，６１の出力側はそれぞれ、ヒンジ型のスイッチ６０ａ，６１ａを備えている。
【００４０】
直流型リレー６０が内蔵するスイッチ６０ａは、全波整流器２４の一方の入力端子と第２口金１１ｂの接続端子１４ａとの間に接続されている。
直流型リレー６１が内蔵するスイッチ６１ａは、全波整流器２４の他方の入力端子と第１口金１１ａの接続端子１３ａとの間に接続されている。
【００４１】
全波整流器７０は、４個の整流ダイオード７１〜７４のブリッジ回路から構成され、直流型リレー６０に直流の駆動電流を供給する。
整流ダイオード７１，７２はカソード同士が接続され、整流ダイオード７３，７４はアノード同士が接続され、整流ダイオード７１，７２のカソードと整流ダイオード７３，７４のアノードとの間に直流型リレー６０の入力側が接続されている。
直列接続された整流ダイオード７１，７２および整流ダイオード７３，７４はそれぞれ、第１口金１１ａの接続端子１３ａ，１３ｂ間に接続されている。
【００４２】
全波整流器８０は、４個の整流ダイオード８１〜８４のブリッジ回路から構成され、直流型リレー６１に直流の駆動電流を供給する。
整流ダイオード８１，８２はカソード同士が接続され、整流ダイオード８３，８４はアノード同士が接続され、整流ダイオード８１，８２のカソードと整流ダイオード８３，８４のアノードとの間に直流型リレー６１の入力側が接続されている。
直列接続された整流ダイオード８１，８２および整流ダイオード８３，８４はそれぞれ、第２口金１１ｂの接続端子１４ａ，１４ｂ間に接続されている。
【００４３】
そのため、第１口金１１ａをソケット５０ａに差し込みながら、第２口金１１ｂをソケット５０ｂから取り外した状態では、全波整流器７０により直流型リレー６０の入力側に直流の駆動電流が一方向に流れる。
また、第２口金１１ｂをソケット５０ｂに差し込みながら、第１口金１１ａをソケット５０ａから取り外した状態では、全波整流器８０により直流型リレー６１の入力側に直流の駆動電流が一方向に流れる。
【００４４】
直流型リレー６０，６１はそれぞれ、入力側に駆動電流が流れていない状態では出力側のスイッチ６０ａ，６１ａを開放して非導通状態にし、入力側に駆動電流が流れた状態ではスイッチ６０ａ，６１ａを閉鎖して導通状態にする。
つまり、交流型リレー６０，６１（切替手段）は、第１口金１１ａの接続端子１３ａ，１３ｂ間に電位差を検知すると共に、第２口金１１ｂの接続端子１４ａ，１４ｂ間に電位差を検知しないときには、第２口金１１ｂの接続端子１４ａ，１４ｂと駆動回路２０との電源供給経路をスイッチ６０ａを閉鎖して導通状態にすると共に、第１口金１１ａの接続端子１３ａ，１３ｂと駆動回路２０との電源供給経路をスイッチ６１ａを開放したままで非導通状態にする。
また、交流型リレー６０，６１は、第２口金１１ｂの接続端子１４ａ，１４ｂ間に電位差を検知すると共に、第１口金１１ａの接続端子１３ａ，１３ｂ間に電位差を検知しないときには、第１口金１１ａの接続端子１３ａ，１３ｂと駆動回路２０との電源供給経路をスイッチ６１ａを閉鎖して導通状態にすると共に、第２口金１１ｂの接続端子１４ａ，１４ｂと駆動回路２０との電源供給経路をスイッチ６０ａを開放したままで非導通状態にする。
従って、第２実施形態においても、第１実施形態の前記［１］〜［４］と同様の作用・効果を得ることができる。
【００４５】
＜第３実施形態＞
図３に示すように、第３実施形態におけるラピッドスタート式の直管蛍光灯型ＬＥＤ照明装置３００は、管体１０、第１口金１１ａ、第２口金１１ｂ、第１端子対１２ａ、第２端子対１２ｂ、接続端子１３ａ，１３ｂ，１４ａ，１４ｂ、駆動回路２０、ＬＥＤモジュール２１、ＬＥＤ２１ａ、平滑コンデンサ２２、定電流ダイオード２３、全波整流器２４、無接点リレー９０，９１、ＭＯＳトランジスタ９０ａ，９１ａなどから構成されている。
直管蛍光灯型ＬＥＤ照明装置３００は、既存の蛍光灯器具のソケット５０ａ，５０ｂに取り付けられ、安定器４０を介して商用電源Ｐから交流電源が常時供給されている。
【００４６】
第３実施形態において、図１に示した第１実施形態と異なるのは、無接点リレー９０，９１、ＭＯＳトランジスタ９０ａ，９１ａを備える点だけである。
無接点リレー９０の入力側は、第１口金１１ａの接続端子１３ａ，１３ｂ間に接続されている。
無接点リレー９１の入力側は、第２口金１１ｂの接続端子１４ａ，１４ｂ間に接続されている。
【００４７】
無接点リレー９０，９１は半導体回路を用いたリレーであり、例えば、ＬＥＤとトライアックまたはフォトＭＯＳトランジスタとを組み合わせた回路などにより具体化されたもので、種々の回路方式があり、広く市販されている。
無接点リレー９０，９１の出力側はそれぞれ、半導体スイッチ素子であるＭＯＳトランジスタ９０ａ，９１ａを備えている。
【００４８】
無接点リレー９０が内蔵するＭＯＳトランジスタ９０ａのソースドレイン間は、全波整流器２４の一方の入力端子と第２口金１１ｂの接続端子１４ａとの間に接続されている。
無接点リレー９１が内蔵するＭＯＳトランジスタ９１ａのソースドレイン間は、全波整流器２４の他方の入力端子と第１口金１１ａの接続端子１３ａとの間に接続されている。
【００４９】
無接点リレー９０，９１はそれぞれ、入力側に前記数Ｖの低い電位差が生じていない状態では出力側のＭＯＳトランジスタ９０ａ，９１ａをオフ動作させて非導通状態にし、入力側に駆動電流が流れた状態ではＭＯＳトランジスタ９０ａ，９１ａをオン動作させて導通状態にする。
つまり、無接点リレー９０，９１（切替手段）は、第１口金１１ａの接続端子１３ａ，１３ｂ間に電位差を検知すると共に、第２口金１１ｂの接続端子１４ａ，１４ｂ間に電位差を検知しないときには、第２口金１１ｂの接続端子１４ａ，１４ｂと駆動回路２０との電源供給経路をＭＯＳトランジスタ９０ａをオン動作させて導通状態にすると共に、第１口金１１ａの接続端子１３ａ，１３ｂと駆動回路２０との電源供給経路をＭＯＳトランジスタ９１ａをオフ動作させたままで非導通状態にする。
また、無接点リレー９０，９１は、第２口金１１ｂの接続端子１４ａ，１４ｂ間に電位差を検知すると共に、第１口金１１ａの接続端子１３ａ，１３ｂ間に電位差を検知しないときには、第１口金１１ａの接続端子１３ａ，１３ｂと駆動回路２０との電源供給経路をＭＯＳトランジスタ９１ａをオン動作させて導通状態にすると共に、第２口金１１ｂの接続端子１４ａ，１４ｂと駆動回路２０との電源供給経路をＭＯＳトランジスタ９０ａをオフ動作させたままで非導通状態にする。
従って、第３実施形態においても、第１実施形態の前記［１］〜［３］と同様の作用・効果を得ることができる。
【００５０】
また、無接点リレー９０，９１において、入力側回路を構成する半導体素子（図示略）と出力側のＭＯＳトランジスタ９０ａ，９１ａとの間の絶縁抵抗を、十分な高抵抗値（例えば、５ＭΩ以上）に設定しておくことにより、無接点リレー９０，９１を介して商用電源Ｐから作業者の身体に電流が流れて感電するおそれがなくなる。
【００５１】
＜第４実施形態＞
図４に示すように、第４実施形態におけるラピッドスタート式の直管蛍光灯型ＬＥＤ照明装置４００は、管体１０、第１口金１１ａ、第２口金１１ｂ、第１端子対１２ａ、第２端子対１２ｂ、接続端子１３ａ，１３ｂ，１４ａ，１４ｂ、駆動回路２０、ＬＥＤモジュール２１、ＬＥＤ２１ａ、平滑コンデンサ２２、定電流ダイオード２３、直流型リレー６０，６１、スイッチ６０ａ，６０ｂ，６１ａ，６１ｂ、全波整流器７０，８０などから構成されている。
直管蛍光灯型ＬＥＤ照明装置４００は、既存の蛍光灯器具のソケット５０ａ，５０ｂに取り付けられ、安定器４０を介して商用電源Ｐから交流電源が常時供給されている。
【００５２】
第４実施形態において、図２に示した第２実施形態と異なるのは、全波整流器２４が省かれている点と、直流型リレー６０の出力側がヒンジ型のスイッチ６０ａ，６０ｂを備えると共に、直流型リレー６１の出力側がヒンジ型のスイッチ６１ａ，６１ｂを備えている点だけである。
【００５３】
直流型リレー６０が内蔵するスイッチ６０ａは、全波整流器８０の整流ダイオード８３，８４のアノード（全波整流器８０の一方の出力端子）と、定電流ダイオード２３のアノードおよび平滑コンデンサ２２との間に接続されている。
直流型リレー６０が内蔵するスイッチ６０ｂは、全波整流器８０の整流ダイオード８１，８２のカソード（全波整流器８０の他方の出力端子）と、ＬＥＤモジュール２１のアノード側との間に接続されている。
【００５４】
直流型リレー６１が内蔵するスイッチ６１ａは、全波整流器７０の整流ダイオード７３，７４のアノード（全波整流器７０の一方の出力端子）と、定電流ダイオード２３のアノードおよび平滑コンデンサ２２との間に接続されている。
直流型リレー６１が内蔵するスイッチ６１ｂは、全波整流器７０の整流ダイオード７１，７２のカソード（全波整流器７０の他方の出力端子）と、ＬＥＤモジュール２１のアノード側との間に接続されている。
【００５５】
直流型リレー６０，６１はそれぞれ、入力側に駆動電流が流れていない状態では出力側のスイッチ６０ａ〜６１ｂを開放して非導通状態にし、入力側に駆動電流が流れた状態ではスイッチ６０ａ〜６１ｂを閉鎖して導通状態にする。
つまり、交流型リレー６０，６１（切替手段）は、第１口金１１ａの接続端子１３ａ，１３ｂ間に電位差を検知すると共に、第２口金１１ｂの接続端子１４ａ，１４ｂ間に電位差を検知しないときには、第２口金１１ｂの接続端子１４ａ，１４ｂと駆動回路２０との電源供給経路をスイッチ６０ａ，６０ｂを閉鎖して導通状態にすると共に、第１口金１１ａの接続端子１３ａ，１３ｂと駆動回路２０との電源供給経路をスイッチ６１ａ，６１ｂを開放したままで非導通状態にする。
また、交流型リレー６０，６１は、第２口金１１ｂの接続端子１４ａ，１４ｂ間に電位差を検知すると共に、第１口金１１ａの接続端子１３ａ，１３ｂ間に電位差を検知しないときには、第１口金１１ａの接続端子１３ａ，１３ｂと駆動回路２０との電源供給経路をスイッチ６１ａ，６１ｂを閉鎖して導通状態にすると共に、第２口金１１ｂの接続端子１４ａ，１４ｂと駆動回路２０との電源供給経路をスイッチ６０ａ，６０ｂを開放したままで非導通状態にする。
【００５６】
従って、第４実施形態においても、第１実施形態の前記［１］〜［４］と同様の作用・効果を得ることができる。
そして、第４実施形態では、駆動回路２０の全波整流器２４の機能を全波整流器７０，８０に合わせ持たせることにより、全波整流器２４を省くことが可能になるため、第２実施形態に比べて低コスト化を図ることができる。
【００５７】
＜第５実施形態＞
図５に示すように、第５実施形態におけるラピッドスタート式の直管蛍光灯型ＬＥＤ照明装置５００は、管体１０、第１口金１１ａ、第２口金１１ｂ、第１端子対１２ａ、第２端子対１２ｂ、接続端子１３ａ，１３ｂ，１４ａ，１４ｂ、駆動回路２０、ＬＥＤモジュール２１、ＬＥＤ２１ａ、平滑コンデンサ２２、定電流ダイオード２３、無接点リレー９０，９１、ＭＯＳトランジスタ９０ａ，９０ｂ，９１ａ，９１ｂ、全波整流器７０，８０などから構成されている。
直管蛍光灯型ＬＥＤ照明装置４００は、既存の蛍光灯器具のソケット５０ａ，５０ｂに取り付けられ、安定器４０を介して商用電源Ｐから交流電源が常時供給されている。
【００５８】
第５実施形態において、図４に示した第４実施形態と異なるのは、直流型リレー６０，６１が無接点リレー９０，９１に置き換えられている点と、スイッチ６０ａ〜６１ｂがそれぞれＭＯＳトランジスタ９０ａ〜９１ｂに置き換えられている点だけである。
【００５９】
無接点リレー９０，９１はそれぞれ、入力側に前記数Ｖの低い電位差が生じていない状態では出力側のＭＯＳトランジスタ９０ａ〜９１ｂをオフ動作させて非導通状態にし、入力側に駆動電流が流れた状態ではＭＯＳトランジスタ９０ａ〜９１ｂをオン動作させて導通状態にする。
つまり、無接点リレー９０，９１（切替手段）は、第１口金１１ａの接続端子１３ａ，１３ｂ間に電位差を検知すると共に、第２口金１１ｂの接続端子１４ａ，１４ｂ間に電位差を検知しないときには、第２口金１１ｂの接続端子１４ａ，１４ｂと駆動回路２０との電源供給経路をＭＯＳトランジスタ９０ａ，９０ｂをオン動作させて導通状態にすると共に、第１口金１１ａの接続端子１３ａ，１３ｂと駆動回路２０との電源供給経路をＭＯＳトランジスタ９１ａ，９１ｂをオフ動作させたままで非導通状態にする。
また、無接点リレー９０，９１は、第２口金１１ｂの接続端子１４ａ，１４ｂ間に電位差を検知すると共に、第１口金１１ａの接続端子１３ａ，１３ｂ間に電位差を検知しないときには、第１口金１１ａの接続端子１３ａ，１３ｂと駆動回路２０との電源供給経路をＭＯＳトランジスタ９１ａ，９１ｂをオン動作させて導通状態にすると共に、第２口金１１ｂの接続端子１４ａ，１４ｂと駆動回路２０との電源供給経路をＭＯＳトランジスタ９０ａ，９０ｂをオフ動作させたままで非導通状態にする。
【００６０】
すなわち、第５実施形態は、第４実施形態と、図３に示した第３実施形態とを組み合わせたものである。
従って、第５実施形態によれば、第３実施形態および第４実施形態の前記作用・効果の両方が得られる。
【００６１】
＜第６実施形態＞
図６に示すように、第６実施形態におけるラピッドスタート式の直管蛍光灯型ＬＥＤ照明装置６００は、図１に示した第１実施形態の直管蛍光灯型ＬＥＤ照明装置１００と同一構成である。
直管蛍光灯型ＬＥＤ照明装置６００は、既存の蛍光灯器具のソケット５０ａ，５０ｂに取り付けられ、商用電源Ｐから交流電源が直接に常時供給されている。
【００６２】
すなわち、第１口金１１ａの接続端子１３ａと第２口金１１ｂの接続端子１４ａとがソケット５０ａ，５０ｂを介して接続されると共に、第１口金１１ａの接続端子１３ｂと第２口金１１ｂの接続端子１４ｂとがソケット５０ａ，５０ｂを介して接続される。
そして、接続端子１３ａ，１４ａと接続端子１３ｂ，１４ｂとの間に、ソケット５０ａ，５０ｂを介して商用電源Ｐが接続される。
【００６３】
第６実施形態においても、第１実施形態の前記［１］〜［４］と同様の作用・効果を得ることができる。
そして、第６実施形態によれば、安定器４０を省くことが可能になるため、第１実施形態に比べて更に省エネルギー化を図ることができる。
【００６４】
＜別の実施形態＞
本発明は前記各実施形態に限定されるものではなく、以下のように具体化してもよく、その場合でも、前記各実施形態と同等もしくはそれ以上の作用・効果を得ることができる。
【００６５】
［Ａ］第１〜第５実施形態において、安定器４０を電子式安定器に置き換えてもよい。
また、第１〜第５実施形態においても、第６実施形態と同じく、安定器４０を省いて商用電源Ｐから直接電源供給をしてもよい。
【００６６】
［Ｂ］第３実施形態および第５実施形態において、ＭＯＳトランジスタ９０ａ，９１ａを、適宜な半導体スイッチ素子（例えば、バイポーラトランジスタ、ＩＧＢＴ（Insulated Gate Bipolar Transistor）、ＳＩＴ（Static Induction Transistor）など）に置き換えてもよい。
【００６７】
［Ｃ］電磁式のヒンジ型リレーや無接点リレーに限らず、前記各実施形態と同様の作用・効果が得られるならば、どのような形式のリレーを用いてもよい。
【００６８】
［Ｄ］特許文献１には、リレーを設けた直管蛍光灯型ＬＥＤ照明装置（ＬＥＤ照明管）が開示されている。
しかし、特許文献１のリレーは、蛍光灯器具への装着の仕方による回路の極性変化に対応して極性を切り換えるためのものであり、前記各実施形態のリレー３０，３１，６０，６１，９０，９１とは構成・作用・効果が全く異なるものである（特許文献１の段落［００１１］［００２１］を参照）。
しかも、特許文献１には、ラピッドスタート式について一切開示されておらず示唆すらもされていない。
よって、特許文献１に基づいて、前記各実施形態を想到することは、たとえ当業者といえども困難であり、また、前記各実施形態の前記作用・効果についても予測し得るものではない。
【００６９】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００７０】
１００〜６００…ラピッドスタート式の直管蛍光灯型ＬＥＤ照明装置
１０…管体
１１ａ…第１口金
１１ｂ…第２口金
１３ａ，１３ｂ…第１口金の接続端子
１４ａ，１４ｂ…第２口金の接続端子
２０…駆動回路
２１…ＬＥＤモジュール
２１ａ…ＬＥＤ
３０…交流型リレー（切替手段）
３１…交流型リレー（切替手段）
４０…安定器
５０ａ，５０ｂ…蛍光灯器具のソケット
６０…直流型リレー（切替手段）
６１…直流型リレー（切替手段）
９０…無接点リレー（切替手段）
９１…無接点リレー（切替手段）
３０ａ，３１ａ，６０ａ，６０ｂ，６１ａ，６１ｂ…スイッチ
９０ａ，９０ｂ，９１ａ，９１ｂ…ＭＯＳトランジスタ
【図１】
0005402900.tif 000002
【図２】
0005402900.tif 000003
【図３】
0005402900.tif 000004
【図４】
0005402900.tif 000005
【図５】
0005402900.tif 000006
【図６】
0005402900.tif 000007